(57)【要約】      （修正有）【課題】各部の脱落を抑制できる組仕切りの提供。【解決手段】本考案に係る組仕切りは、下縁から上方に延びる３つの第１スリット１１ａ、１１ｂ、１１ｃを有し、左右方向に配設される第１長辺仕切板１１と、第１長辺仕切板と前後方向に間隔を空けて対向配置され、各第１スリットに対向する位置に第２スリット１２ａ、１２ｂ、１２ｃを有する第２長辺仕切板と、左右方向一方側に位置する第１スリット及び第２スリットに咬合する一対の第３スリット１３ａを有する第１外側短辺仕切板と、左右方向中間部に位置する第１スリット及び第２スリットに咬合する一対の第４スリット１４ａを有する中央短辺仕切板１４と、左右方向他方側に位置する第１スリット及び第２スリットに咬合する一対の第５スリット１５ａを有する第２外側短辺仕切板１５と、第１外側短辺仕切板１３の下縁と中央短辺仕切板の下縁とに連接される第１底板１６と、第２外側短辺仕切板の下縁に連接され、第１底板と着脱可能に接続される第２底板１７とを備える。【選択図】図２
0003221841.tif 000002
【実用新案登録請求の範囲】
【請求項１】
段ボールシートから形成され、組立状態で箱体内に配置され、この箱体の内部空間を区分する組仕切りであって、
左右方向に配設され、下縁から上方に延びる３つの第１スリットが形成された第１長辺仕切板と、
上記第１長辺仕切板と前後方向に間隔を空けて対向配置され、各上記第１スリットに対向する位置に、下縁から上方に延びる第２スリットが形成された第２長辺仕切板と、
上縁から下方に延び、上記第１長辺仕切板及び第２長辺仕切板の左右方向一方側に位置する第１スリット及び第２スリットに咬合する一対の第３スリットが形成され、上記第１長辺仕切板及び第２長辺仕切板と組み合わされる第１外側短辺仕切板と、
上縁から下方に延び、上記第１長辺仕切板及び第２長辺仕切板の左右方向中間部に位置する第１スリット及び第２スリットに咬合する一対の第４スリットが形成され、上記第１長辺仕切板及び第２長辺仕切板と組み合わされる中央短辺仕切板と、
上縁から下方に延び、上記第１長辺仕切板及び第２長辺仕切板の左右方向他方側に位置する第１スリット及び第２スリットに咬合する一対の第５スリットが形成され、上記第１長辺仕切板及び第２長辺仕切板と組み合わされる第２外側短辺仕切板と、
上記第１外側短辺仕切板の下縁と中央短辺仕切板の下縁とに連接され、上記箱体の底壁上に配設される第１底板と、
上記第２外側短辺仕切板の下縁に連接され、上記第１底板と上記中央短辺仕切板側の端部で着脱可能に接続され、上記箱体の底壁上に配設される第２底板と
を備える組仕切り。
【請求項２】
一対の上記長辺仕切板が、上記一対の第４スリットと咬合する第１スリット及び第２スリットの上端から上方に延びる折り曲げ容易線を有し、
上記第１底板及び第２底板の接続部を下方に凸に折り曲げ、かつ上記一対の長辺仕切板を上記折り曲げ容易線で後方に凸に折り曲げることで折りたたみ可能に構成される請求項１に記載の組仕切り。
【請求項３】
３つの上記短辺仕切板が、上記第３スリット乃至第５スリットを画定する各一対の前側縁及び後側縁を有し、
上記後側縁がそれぞれ、その下端から上方に延びる直線部と、この直線部から連続し、上方に向けて後方に傾斜する傾斜部とを有する請求項２に記載の組仕切り。
【請求項４】
一対の上記外側短辺仕切板の上記各一対の前側縁が、その上端部に後方に突出する突出部を有し、
上記一対の長辺仕切板が、上記突出部が挿入される切欠きを有する請求項３に記載の組仕切り。
【請求項５】
上記一対の第４スリットと咬合する第１スリット及び第２スリットが、その上端から下方に向けて左右方向両外側に拡幅している請求項１から請求項４のいずれか１項に記載の組仕切り。
【考案の詳細な説明】
【技術分野】
【０００１】
本考案は、組仕切りに関する。
【背景技術】
【０００２】
段ボール箱に複数の物品を収容する場合、物品同士が直接接触しないよう、物品間に段ボールシートから形成される仕切板を挿入することがある。また、段ボール箱内を行列状に区画すべく、２枚以上の仕切板に互いを咬合させるスリットを設け、これらの仕切板を平面視十字状、井桁状、格子状等に組み合わせた組仕切りも広く用いられている（実開昭５５−６９０６７号公報参照）。
【先行技術文献】
【特許文献】
【０００３】
【特許文献１】実開昭５５−６９０６７号公報
【考案の概要】
【考案が解決しようとする課題】
【０００４】
上記公報には、底板及びこの底板の両側縁から起立する一対の第１仕切板を有する仕切体と、上記一対の第１仕切板の間で上記底板の上に設置される第２仕切板と、上記一対の第１仕切板及び第２仕切板に直交するよう組み合わせられる一対の第３仕切板とを有する組仕切りが記載されている。この組仕切りは、段ボール箱内を１２区画に分割することができる。
【０００５】
しかしながら、この組仕切りは、上記第２仕切板が底板に接続されていないため、この第２仕切板が意図せず脱落しやすい。特に、この組仕切りは、一方の第１仕切板を一対の第３仕切板から抜き出し、一対の第３仕切板を他方の第１仕切板に対して回動することで扁平に折りたたむことができるとされている。しかし、この組仕切りは、この折りたたみ状態で第２仕切板の下縁を他の部材により支持し難いため、第２仕切板が脱落しやすい。
【０００６】
本考案は、このような不都合に鑑みてなされたものであり、各部の脱落を抑制することができる組仕切りを提供することを課題とする。
【課題を解決するための手段】
【０００７】
上記課題を解決するためになされた本考案に係る組仕切りは、段ボールシートから形成され、組立状態で箱体内に配置され、この箱体の内部空間を区分する組仕切りであって、左右方向に配設され、下縁から上方に延びる３つの第１スリットが形成された第１長辺仕切板と、上記第１長辺仕切板と前後方向に間隔を空けて対向配置され、各上記第１スリットに対向する位置に、下縁から上方に延びる第２スリットが形成された第２長辺仕切板と、上縁から下方に延び、上記第１長辺仕切板及び第２長辺仕切板の左右方向一方側に位置する第１スリット及び第２スリットに咬合する一対の第３スリットが形成され、上記第１長辺仕切板及び第２長辺仕切板と組み合わされる第１外側短辺仕切板と、上縁から下方に延び、上記第１長辺仕切板及び第２長辺仕切板の左右方向中間部に位置する第１スリット及び第２スリットに咬合する一対の第４スリットが形成され、上記第１長辺仕切板及び第２長辺仕切板と組み合わされる中央短辺仕切板と、上縁から下方に延び、上記第１長辺仕切板及び第２長辺仕切板の左右方向他方側に位置する第１スリット及び第２スリットに咬合する一対の第５スリットが形成され、上記第１長辺仕切板及び第２長辺仕切板と組み合わされる第２外側短辺仕切板と、上記第１外側短辺仕切板の下縁と中央短辺仕切板の下縁とに連接され、上記箱体の底壁上に配設される第１底板と、上記第２外側短辺仕切板の下縁に連接され、上記第１底板と上記中央短辺仕切板側の端部で着脱可能に接続され、上記箱体の底壁上に配設される第２底板とを備える。
【０００８】
当該組仕切りは、第１外側短辺仕切板及び中央短辺仕切板が第１底板に連接され、第２外側短辺仕切板が第２底板に連接されると共に、第１底板及び第２底板が着脱可能に接続されるので、３つの短辺仕切板の脱落を容易かつ確実に防止することができる。
【０００９】
当該組仕切りは、一対の上記長辺仕切板が、上記一対の第４スリットと咬合する第１スリット及び第２スリットの上端から上方に延びる折り曲げ容易線を有し、上記第１底板及び第２底板の接続部を下方に凸に折り曲げ、かつ上記一対の長辺仕切板を上記折り曲げ容易線で後方に凸に折り曲げることで折りたたみ可能に構成されるとよい。このように、一対の上記長辺仕切板が、上記一対の第４スリットと咬合する第１スリット及び第２スリットの上端から上方に延びる折り曲げ容易線を有し、上記第１底板及び第２底板の接続部を下方に凸に折り曲げ、かつ上記一対の長辺仕切板を上記折り曲げ容易線で後方に凸に折り曲げることで折りたたみ可能に構成されることによって、取扱性を高めることができる。また、当該組仕切りは、この折りたたみ状態でも上記３つの短辺仕切板の脱落を防止することができる。
【００１０】
３つの上記短辺仕切板が、上記第３スリット乃至第５スリットを画定する各一対の前側縁及び後側縁を有し、上記後側縁がそれぞれ、その下端から上方に延びる直線部と、この直線部から連続し、上方に向けて後方に傾斜する傾斜部とを有するとよい。このように、３つの上記短辺仕切板が、上記第３スリット乃至第５スリットを画定する各一対の前側縁及び後側縁を有し、上記後側縁がそれぞれ、その下端から上方に延びる直線部と、この直線部から連続し、上方に向けて後方に傾斜する傾斜部とを有することによって、上記一対の長辺仕切板の第１スリット及び第２スリットと、上記３つの短辺仕切板の第３スリット乃至第５スリットとの咬合が容易であると共に、これらのスリットの咬合状態を安定的に維持することができる。また、この構成によると、上記一対の長辺仕切板を上記傾斜部の上縁を沿わせるように後方に凸に折り曲げることができる。従って、当該組仕切りは、使用前後に容易に折りたたんでおくことができ、取扱性をより高めることができる。
【００１１】
一対の上記外側短辺仕切板の上記各一対の前側縁が、その上端部に後方に突出する突出部を有し、上記一対の長辺仕切板が、上記突出部が挿入される切欠きを有するとよい。このように、一対の上記外側短辺仕切板の上記各一対の前側縁が、その上端部に後方に突出する突出部を有し、上記一対の長辺仕切板が、上記突出部が挿入される切欠きを有することで、一対の長辺仕切板の脱落を容易に抑制しつつ、上記折り曲げ容易線による折りたたみの容易化を促進することができる。
【００１２】
上記一対の第４スリットと咬合する第１スリット及び第２スリットが、その上端から下方に向けて左右方向両外側に拡幅しているとよい。このように、上記一対の第４スリットと咬合する第１スリット及び第２スリットが、その上端から下方に向けて左右方向両外側に拡幅していることによって、上記一対の長辺仕切板の第１スリット及び第２スリットと、上記３つの短辺仕切板の第３スリット乃至第５スリットとの咬合がより容易となる。
【００１３】
なお、本考案において、「下」とは、組仕切りが箱体内に収容された状態における下を意味し、「上」とはその反対を意味する。また、「左右方向」とは上下方向に直交する１方向をいい、「前後方向」とは、上下方向及び左右方向に直交する方向をいう。
【考案の効果】
【００１４】
以上説明したように、本考案に係る組仕切りは、各部の脱落を抑制することができる。
【図面の簡単な説明】
【００１５】
【図１】図１は、本考案の一実施形態に係る組仕切りの分解状態を示す模式的平面図（展開図）である。
【図２】図２は、図１の組仕切りの組立状態を示す模式的斜視図である。
【図３】図３は、図２の組仕切りの第１底板及び第２底板の接続状態を示す模式的斜視図である。
【図４】図４は、図２の組仕切りの折りたたみ状態を示す模式的側面図である。
【図５】図５は、図２の組仕切りの模式的分解斜視図である。
【考案を実施するための形態】
【００１６】
以下、適宜図面を参照しつつ、本考案の実施の形態を詳説する。
【００１７】
［組仕切り］
図１の組仕切り１は段ボールシートから形成される。当該組仕切り１は、図２に示す組立状態で箱体内に配置され、この箱体の内部空間を区分する（なお、以下では組立状態の当該組仕切り１を「仕切体２」ともいう）。
【００１８】
当該組仕切り１は、左右方向（図２のＸ方向）に配設され、下縁から上方に延びる３つの第１スリット１１ａ〜１１ｃが形成された第１長辺仕切板１１と、第１長辺仕切板１１と前後方向（図２のＹ方向）に間隔を空けて対向配置され、各第１スリット１１ａ〜１１ｃに対向する位置に、下縁から上方に延びる第２スリット１２ａ〜１２ｃが形成された第２長辺仕切板１２と、上縁から下方に延び、第１長辺仕切板１１及び第２長辺仕切板１２の左右方向一方側に位置する第１スリット１１ａ及び第２スリット１２ａに咬合する一対の第３スリット１３ａが形成され、第１長辺仕切板１１及び第２長辺仕切板１２と組み合わされる第１外側短辺仕切板１３と、上縁から下方に延び、第１長辺仕切板１１及び第２長辺仕切板１２の左右方向中間部に位置する第１スリット１１ｂ及び第２スリット１２ｂに咬合する一対の第４スリット１４ａが形成され、第１長辺仕切板１１及び第２長辺仕切板１２と組み合わされる中央短辺仕切板１４と、上縁から下方に延び、第１長辺仕切板１１及び第２長辺仕切板１２の左右方向他方側に位置する第１スリット１１ｃ及び第２スリット１２ｃに咬合する一対の第５スリット１５ａが形成され、第１長辺仕切板１１及び第２長辺仕切板１２と組み合わされる第２外側短辺仕切板１５と、第１外側短辺仕切板１３の下縁と中央短辺仕切板１４の下縁とに連接され、上記箱体の底壁上に配設される第１底板１６と、第２外側短辺仕切板１５の下縁に連接され、第１底板１６と中央短辺仕切板１４側の端部で着脱可能に接続され、上記箱体の底壁上に配設される第２底板１７とを備える。なお、図１において、太い実線は段ボールシートを切断して形成されるエッジを示し、細い実線は段ボールシートの片面に筋押しして形成される罫線を示す。
【００１９】
当該組仕切り１は、１枚の大判の段ボールシートの原紙からトムソン型を用いて切り出すことができる。図１は、段ボールシートの原紙から当該組仕切り１をトムソン型を用いて切り出す場合の各板の配置例を示している。そのため、図１では、第１長辺仕切板１１中央短辺仕切板１４及び第２外側短辺仕切板１５は、使用時と上下方向（図２のＺ方向）が逆転している。
【００２０】
当該組仕切り１に用いられる段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。また、この段ボールシートの中芯の稜線は、図２の仕切体２の座屈強度を高める観点から上下方向に配設されることが好ましい。
【００２１】
（第１長辺仕切板）
第１長辺仕切板１１は、左右方向を長手方向とする略矩形状である。第１長辺仕切板１１の左右方向長さは、当該仕切体２を収容する箱体の内面の長辺長さと略等しい。第１長辺仕切板１１は、箱体内への収容が容易となるよう、両側縁の下端部が下方に向けて縮幅するよう構成されていてもよい。
【００２２】
３つの第１スリット１１ａ〜１１ｃのうち、左右方向中間部に位置する第１スリット１１ｂは、第１長辺仕切板１１の左右方向中央位置に形成される。また、他の２つの第１スリット１１ａ，１１ｃは、左右方向中間部に位置する第１スリット１１ｂを基準として左右方向の両側に等間隔で形成される。好ましくは、３つの第１スリット１１ａ〜１１ｃは、第１長辺仕切板１１を左右方向に４等分する位置に設けられる。３つの第１スリット１１ａ〜１１ｃの上下方向長さは略同じとすることができる。３つの第１スリット１１ａ〜１１ｃの上下方向長さとしては、第１長辺仕切板１１の上下方向長さの略１／２とすることができる。
【００２３】
３つの第１スリット１１ａ〜１１ｃのうち、左右一対の第１スリット１１ａ，１１ｃは、その上端から下方に延びる直線部と、この直線部から連続し、上方から下方に向けて左右方向両外側に拡幅する拡幅部とを有する。当該組仕切り１は、左右一対の第１スリット１１ａ，１１ｃが上記拡幅部を有することで、これらの第１スリット１１ａ，１１ｃと第３スリット１３ａ及び第５スリット１５ａとの咬合を容易に行うことができる。また、当該組仕切り１は、左右一対の第１スリット１１ａ，１１ｃが上記直線部を有することで、第１スリット１１ａ，１１ｃと第３スリット１３ａ及び第５スリット１５ａとの咬合状態を安定的に維持することができる。
【００２４】
３つの第１スリット１１ａ〜１１ｃのうち、第４スリット１４ａと咬合する第１スリット１１ｂ（左右方向中間部に位置する第１スリット１１ｂ）は、その上端から下方に向けて左右方向両外側に拡幅している。好ましくは、左右方向中間部に位置する第１スリット１１ｂは、第１長辺仕切板１１の下縁から延長される仮想直線を底辺とする略２等辺三角形状である。当該組仕切りは、上述のように左右一対の第１スリット１１ａ，１１ｃが上記直線部を有するので、左右方向中間部に位置する第１スリット１１ｂがその上端から下方に向けて左右方向両外側に拡幅している場合でも、第３スリット１３ａ乃至第５スリット１５ａとの咬合状態を十分安定的に維持することができる。
【００２５】
第１長辺仕切板１１は、第４スリット１４ａと咬合する第１スリット１１ｂの上端から上方に延びる折り曲げ容易線（第１折り曲げ容易線１１ｄ）を有する。第１折り曲げ容易線１１ｄは、第１スリット１１ｂの上端から第１長辺仕切板１１の上縁に亘って形成される。第１折り曲げ容易線１１ｄは、切断線の両側に罫線が配置されたリード罫線である。これにより、第１長辺仕切板１１は、上記罫線が形成される側の面を内側にして第１折り曲げ容易線１１ｄで容易に折り曲げることができる。
【００２６】
第１長辺仕切板１１は、３つの第１スリット１１ａ〜１１ｃの鉛直上方に３つの切欠き１１ｅを有する。３つの切欠き１１ｅは、後述の突出部１３ｄ〜１５ｄが挿入される。３つの切欠き１１ｅは、上下方向を長手方向とする略長方形状であることが好ましい。３つの切欠き１１ｅの幅は略等しい。切欠き１１ｅの幅は、左右一対の第１スリット１１ａ，１１ｃの上記直線部の幅よりも大きいことが好ましい。また、切欠き１１ｅの幅は、第１スリット１１ａ〜１１ｃの下端の幅よりも小さいことが好ましい。切欠き１１ｅの幅Ｗとしては、例えば３ｍｍ以上５ｍｍ以下とすることができる。
【００２７】
（第２長辺仕切板）
第２長辺仕切板１２は、左右方向を長手方向とする略矩形状である。第２長辺仕切板１２は、第１長辺仕切板１１と略同一形状に形成されている。本実施形態では、第２長辺仕切板１２は、第１長辺仕切板１１の後方で第１長辺仕切板１１と対向配置されている。
【００２８】
３つの第２スリット１２ａ〜１２ｃは、第１スリット１１ａ〜１１ｃと前後方向に対向する位置に設けられている。具体的には、当該組仕切り１は、仕切体２に組み立てられた状態で、左右方向一方側に位置する第１スリット１１ａ及び第２スリット１２ａが前後方向に対向し、左右方向中間部に位置する第１スリット１１ｂ及び第２スリット１２ｂが前後方向に対向し、左右方向他方側に位置する第１スリット１１ｃ及び第２スリット１２ｃが前後方向に対向するよう配置されている。３つの第２スリット１２ａ〜１２ｃの上下方向長さとしては、３つの第１スリット１１ａ〜１１ｃの上下方向長さと同じとすることができる。
【００２９】
各第２スリット１２ａ〜１２ｃは、前後方向に対向する第１スリット１１ａ〜１１ｃと同一形状に形成される。すなわち、３つの第２スリット１２ａ〜１２ｃのうち、左右一対の第２スリット１２ａ，１２ｃは、その上端から下方に延びる直線部と、この直線部から連続し、上方から下方に向けて左右方向両外側に拡幅する拡幅部とを有する。３つの第２スリット１２ａ〜１２ｃのうち、第４スリット１４ａと咬合する第２スリット１２ｂ（左右方向中間部に位置する第２スリット１２ｂ）は、その上端から下方に向けて左右方向両外側に拡幅している。好ましくは、左右方向中間部に位置する第２スリット１２ｂは、第２長辺仕切板１２の下縁から延長される仮想直線を底辺とする略２等辺三角形状である。
【００３０】
当該組仕切り１は、一対の第４スリット１４ａと咬合する第１スリット１１ｂ及び第２スリット１２ｂが、その上端から下方に向けて左右方向両外側に拡幅していることによって、一対の長辺仕切板（第１長辺仕切板１１及び第２長辺仕切板１２）の第１スリット１１ａ〜１１ｃ及び第２スリット１２ａ〜１２ｃと、３つの短辺仕切板（第１外側短辺仕切板１３、中央短辺仕切板１４及び第２外側短辺仕切板１５）の第３スリット１３ａ乃至第５スリット１５ａとの咬合がより容易となる。また、この構成によると、当該組仕切り１は、後述の折りたたみが容易となると共に、図４に示す折りたたみ状態で、一対の長辺仕切板１１，１２と中央短辺仕切板１４とが干渉し難い。
【００３１】
第２長辺仕切板１２は、第４スリット１４ａと咬合する第２スリット１２ｂの上端から上方に延びる折り曲げ容易線（第２折り曲げ容易線１２ｄ）を有する。第２折り曲げ容易線１２ｄは、第２スリット１２ｂの上端から第２長辺仕切板１２の上縁に亘って形成される。第２折り曲げ容易線１２ｄは、切断線の両側に罫線が配置されたリード罫線である。
【００３２】
第２長辺仕切板１２は、３つの第２スリット１２ａ〜１２ｃの鉛直上方に３つの切欠き１２ｅを有する。左右一対の切欠き１２ｅは、後述の突出部１３ｄ，１５ｄが挿入される。各切欠き１２ｅの形状としては、上述の第１長辺仕切板１１に形成される切欠き１１ｅと同じとすることができる。
【００３３】
（第１外側短辺仕切板）
第１外側短辺仕切板１３は、第１長辺仕切板１１及び第２長辺仕切板１２と平面視で直交するよう第１長辺仕切板１１及び第２長辺仕切板１２と嵌合される。第１外側短辺仕切板１３は、前後方向を長手方向とする略矩形状である。第１外側短辺仕切板１３の前後方向長さは、当該仕切体２を収容する箱体の内面の短辺長さと略等しい。第１外側短辺仕切板１３の上下方向長さは、一対の長辺仕切板１１，１２の上下方向長さと略等しい。第１外側短辺仕切板１３は、箱体内への収容が容易となるよう、両側縁の下端部が下方に向けて縮幅するよう構成されていてもよい。
【００３４】
一対の第３スリット１３ａは、第１外側短辺仕切板１３を前後方向に３等分する位置に設けられる。
【００３５】
第１外側短辺仕切板１３は、一対の第３スリット１３ａを画定する各一対の前側縁１３ｂ及び後側縁１３ｃを有する。
【００３６】
一対の前側縁１３ｂは、その上端部に後方に突出する突出部１３ｄを有する。より詳しくは、一対の前側縁１３ｂは、その下端から上方に延びる直線部１３ｅと、この直線部１３ｅから連続し、後方に向けて突出する突出部１３ｄとを有する。
【００３７】
一対の後側縁１３ｃは、その下端から上方に延びる直線部１３ｆと、この直線部１３ｆから連続し、上方に向けて後方に傾斜する傾斜部１３ｇとを有する。
【００３８】
一対の直線部１３ｅ，１３ｆ間の領域は、一対の長辺仕切板１１，１２を挟み込む挟持部として構成される。
【００３９】
突出部１３ｄは、切欠き１１ｅ，１２ｅに挿入され、咬合状態における一対の長辺仕切板１１，１２の浮き上がりを抑制する。また、図４に示すように、突出部１３ｄは、仕切体２の折りたたみ状態における一対の長辺仕切板１１，１２の第１外側短辺仕切板１３からの抜けを抑制するロック部として機能する。つまり、当該仕切体２は、一対の突出部１３ｄによって第１外側短辺仕切板１３に画定される突片１３ｈが一対の長辺仕切板１１，１２の切欠き１１ｅ，１２ｅのエッジを外側から支持することで、一対の長辺仕切板１１，１２の第１外側短辺仕切板１３からの抜けを抑制する。
【００４０】
突出部１３ｄの突出長さＬ（突片１３ｈの幅）は、切欠き１１ｅ，１２ｅの幅Ｗよりも大きい。このように、突出部１３ｄの突出長さＬが切欠き１１ｅ，１２ｅの幅Ｗよりも大きいことで、突出部１３ｄをロック部として機能させることができる。突出部１３ｄの突出長さＬと切欠き１１ｅ，１２ｅの幅Ｗとの差の下限としては、４ｍｍが好ましく、５ｍｍがより好ましく、６ｍｍがさらに好ましい。一方、上記差の上限としては、１０ｍｍが好ましく、８ｍｍがより好ましい。上記差が上記下限に満たないと、突片１３ｈによって切欠き１１ｅ，１２ｅのエッジを外側から十分に支持し難くなるおそれがある。逆に、上記差が上記上限を超えると、突片１３ｈの幅が不必要に大きくなり、第１スリット１１ａ及び第２スリット１２ａを一対の第３スリット１３ａに咬合させ難くなるおそれがある。
【００４１】
傾斜部１３ｇは、例えば直線状である。傾斜部１３ｇは、一対の長辺仕切板１１，１２の第１外側短辺仕切板１３への嵌合を容易に行うためのガイド部として機能する。
【００４２】
一対の第３スリット１３ａの上下方向長さとしては、第１外側短辺仕切板１３の上下方向長さの略１／２とすることができる。
【００４３】
（中央短辺仕切板）
中央短辺仕切板１４は、第１長辺仕切板１１及び第２長辺仕切板１２と平面視で直交するよう第１長辺仕切板１１及び第２長辺仕切板１２と嵌合される。中央短辺仕切板１４は、一対の外側短辺仕切板（第１外側短辺仕切板１３及び第２外側短辺仕切板１５）から等距離で前後方向に配置される。中央短辺仕切板１４の前後方向長さは、第１外側短辺仕切板１３の前後方向長さと略等しい。中央短辺仕切板１４の上下方向長さは、第１外側短辺仕切板１３の上下方向長さと略等しい。中央短辺仕切板１４は、箱体内への収容が容易となるよう、両側縁の下端部が下方に向けて縮幅するよう構成されていてもよい。
【００４４】
一対の第４スリット１４ａは、中央短辺仕切板１４を前後方向に３等分する位置に設けられる。
【００４５】
中央短辺仕切板１４は、一対の第４スリット１４ａを画定する各一対の前側縁１４ｂ及び後側縁１４ｃを有する。
【００４６】
前方に位置する第４スリット１４ａを画定する前側縁１４ｂは、その上端部に後方に突出する突出部１４ｄを有する。より詳しくは、上記前側縁１４ｂは、その下端から上方に延びる直線部１４ｅと、この直線部１４ｅから連続し、後方に向けて突出する突出部１４ｄとを有する。後方に位置する第４スリット１４ａを画定する前側縁１４ｂは、その下端から上端に至る直線部１４ｅを有する。
【００４７】
一対の後側縁１４ｃは、その下端から上方に延びる直線部１４ｆと、この直線部１４ｆから連続し、上方に向けて後方に傾斜する傾斜部１４ｇとを有する。
【００４８】
一対の直線部１４ｅ，１４ｆ間の領域は、一対の長辺仕切板１１，１２を挟み込む挟持部として構成される。
【００４９】
突出部１４ｄは、切欠き１１ｅに挿入され、咬合状態における第１長辺仕切板１１の浮き上がりを抑制する。突出部１４ｄの突出長さとしては、第１外側短辺仕切板１３の突出部１３ｄの突出長さＬと同じとすることができる。
【００５０】
傾斜部１４ｇは、例えば上方に凸なアーチ状である。傾斜部１４ｇは、当該仕切体２を折りたたむ際に一対の長辺仕切板１１，１２を後方にガイドするためのガイド部として機能する。また同時に、傾斜部１４ｇは、一対の長辺仕切板１１，１２の中央短辺仕切板１４への嵌合を容易に行うためのガイド部として機能する。
【００５１】
一対の第４スリット１４ａの上下方向長さとしては、一対の第３スリット１３ａの上下方向長さと同じとすることができる。
【００５２】
（第２外側短辺仕切板）
第２外側短辺仕切板１５は、第１長辺仕切板１１及び第２長辺仕切板１２と平面視で直交するよう第１長辺仕切板１１及び第２長辺仕切板１２と嵌合される。第２外側短辺仕切板１５は、中央短辺仕切板１４を挟んで第１外側短辺仕切板１３と対向するよう前後方向に配置される。第２外側短辺仕切板１５は、第１外側短辺仕切板１３と略同一形状に形成されている。
【００５３】
一対の第５スリット１５ａは、第２外側短辺仕切板１５を前後方向に３等分する位置に設けられる。
【００５４】
第２外側短辺仕切板１５は、一対の第５スリット１５ａを画定する各一対の前側縁１５ｂ及び後側縁１５ｃを有する。
【００５５】
一対の前側縁１５ｂは、その上端部に後方に突出する突出部１５ｄを有する。より詳しくは、一対の前側縁１５ｂは、その下端から上方に延びる直線部１５ｅと、この直線部１５ｅから連続し、後方に向けて突出する突出部１５ｄとを有する。直線部１５ｅ及び突出部１５ｄの具体的形状としては、第１外側短辺仕切板１３の直線部１３ｅ及び突出部１３ｄと同じとすることができる。
【００５６】
一対の後側縁１５ｃは、その下端から上方に延びる直線部１５ｆと、この直線部１５ｆから連続し、上方に向けて後方に傾斜する傾斜部１５ｇとを有する。直線部１５ｆ及び傾斜部１５ｇの具体的形状としては、第１外側短辺仕切板１３の直線部１３ｆ及び傾斜部１３ｇと同じとすることができる。一対の第５スリット１５ａの上下方向長さとしては、一対の第３スリット１３ａの上下方向長さと同じとすることができる。
【００５７】
当該組仕切り１は、３つの短辺仕切板（第１外側短辺仕切板１３、中央短辺仕切板１４及び第２外側短辺仕切板１５）の後側縁１３ｃ，１４ｃ，１５ｃが直線部１３ｆ，１４ｆ，１５ｆ及び傾斜部１３ｇ，１４ｇ，１５ｇを有するので、一対の長辺仕切板１１，１２の第１スリット１１ａ及び第２スリット１２ａと、３つの短辺仕切板１３〜１５の第３スリット１３ａ乃至第５スリット１５ａとの咬合を容易に行うことができると共に、これらのスリット１１ａ〜１５ａの咬合状態を安定的に維持することができる。また、この構成によると、当該組仕切り１は、一対の折り曲げ容易線１１ｄ，１２ｄの折り曲げによって一対の長辺仕切板１１，１２を中央短辺仕切板１４の傾斜部１４ｇの上縁を沿わせるように後方に凸に折り曲げることができる。従って、当該組仕切り１は、使用前後に容易に折りたたんでおくことができ、取扱性をより高めることができる。
【００５８】
当該組仕切り１は、一対の外側短辺仕切板１３，１５の各一対の前側縁１３ｂ，１５ｂが突出部１３ｄ，１５ｄを有し、一対の長辺仕切板１１，１２が突出部１３ｄ，１５ｄが挿入される切欠き１１ｅ，１２ｅを有するので、一対の長辺仕切板１１，１２の脱落を容易に抑制しつつ、一対の折り曲げ容易線１１ｄ，１２ｄによる折りたたみの容易化を促進することができる。
【００５９】
（第１底板）
第１底板１６は、第１外側短辺仕切板１３及び中央短辺仕切板１４に対して略直角に折り曲げられ、仕切体２の底部を構成する。第１底板１６は略矩形状である。第１底板１６と中央短辺仕切板１４との間の境界部分には、後述の第２底板１７の係合突起１７ｂが挿入される係止孔１６ａが形成される。上記境界部分には、第１底板１６と中央短辺仕切板１４との間の境界線に沿って２つの係止孔１６ａが設けられている。
【００６０】
（第２底板）
第２底板１７は、第２外側短辺仕切板１５に対して略直角に折り曲げられ、第１底板１６と共に仕切体２の底部を構成する。第２底板１７は、第１底板１６と略同形状の本体１７ａと、本体１７ａの第２外側短辺仕切板１５と連接される側と反対側の端縁から突出する一対の係合突起１７ｂとを有する。一対の係合突起１７ｂは、一対の係止孔１６ａと係合可能に構成されており、これにより第１底板１６と第２底板１７とは着脱可能に接続される。
【００６１】
図３及び図５を参照して、当該仕切体２の組立手順の一例について説明する。まず、図３に示すように、第１底板１６に対して第１外側短辺仕切板１３及び中央短辺仕切板１４を上方に略直角に折り曲げ、かつ第２底板１７に対して第２外側短辺仕切板１５を上方に略直角に折り曲げた状態で一対の係合突起１７ｂを一対の係止孔１６ａに挿入することで第１底板１６と第２底板１７とを接続する。
【００６２】
続いて、図５に示すように、第１長辺仕切板１１の左右方向一方側の第１スリット１１ａを第１外側短辺仕切板１３の前側の第３スリット１３ａに、第１長辺仕切板１１の左右方向中間部の第１スリット１１ｂを中央短辺仕切板１４の前側の第４スリット１４ａに、第１長辺仕切板１１の左右方向他方側の第１スリット１１ｃを第２外側短辺仕切板１５の前側の第５スリット１５ａに、それぞれ咬合させる。この際、第１長辺仕切板１１の３つの切欠き１１ｅに３つの短辺仕切板１３〜１５の突出部１３ｄ〜１５ｄを挿入する。
【００６３】
また、第２長辺仕切板１２の左右方向一方側の第２スリット１２ａを第１外側短辺仕切板１３の後側の第３スリット１３ａに、第２長辺仕切板１２の左右方向中間部の第２スリット１２ｂを中央短辺仕切板１４の後側の第４スリット１４ａに、第２長辺仕切板１２の左右方向他方側の第２スリット１２ｃを第２外側短辺仕切板１５の後側の第５スリット１５ａに、それぞれ咬合させる。この際、第２長辺仕切板１２の左右一対の切欠き１２ｅに一対の外側短辺仕切板１３，１５の突出部１３ｄ，１５ｄを挿入する。これにより、図２の仕切体２が組み立てられる。
【００６４】
当該仕切体２は、第１底板１６及び第２底板１７の接続部（具体的には、一対の係合突起１７ｂと本体１７ａとの境界線）を下方に凸に折り曲げ、かつ一対の長辺仕切板１１，１２を一対の折り曲げ容易線１１ｄ，１２ｄで後方に凸に折り曲げることで図４の状態に折りたたまれる。当該仕切体２は、第１長辺仕切板１１の第１スリット１１ｂの上側部分及び第２長辺仕切板１２の第２スリット１２ｂの上側部分を中央短辺仕切板１４の第４スリット１４ａの直線部間の領域から抜き出し、一対の長辺仕切板１１，１２を中央短辺仕切板１４の傾斜部１４ｇの上縁を沿わせるように後方に凸に折り曲げることで、容易に折りたたむことができる。
【００６５】
当該組仕切り１は、一対の長辺仕切板１１，１２が一対の折り曲げ容易線１１ｄ，１２ｄを有し、第１底板１６及び第２底板１７の接続部を下方に凸に折り曲げ、かつ一対の長辺仕切板１１，１２を一対の折り曲げ容易線１１ｄ，１２ｄで後方に凸に折り曲げることで折りたたみ可能に構成されることによって、取扱性を高めることができる。また、当該組仕切り１は、この折りたたみ状態でも３つの短辺仕切板１３〜１５の脱落を防止することができる。
【００６６】
＜利点＞
当該組仕切り１は、第１外側短辺仕切板１３及び中央短辺仕切板１４が第１底板１６に連接され、第２外側短辺仕切板１５が第２底板１７に連接されると共に、第１底板１６及び第２底板１７が着脱可能に接続されるので、３つの短辺仕切板１３〜１５の脱落を容易かつ確実に防止することができる。
【００６７】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６８】
例えば上記一対の長辺仕切板は、折りたたむ必要がない場合等であれば、第１スリット及び第２スリットの上端から上方に延びる折り曲げ容易線を有しなくてもよい。
【００６９】
上記３つの短辺仕切板に形成される第３スリット乃至第５スリットの具体的形状は、上記実施形態に記載の形状に限定されるものではない。例えば３つの短辺仕切板が、第３スリット乃至第５スリットを画定する前側縁及び後側縁を有する場合、これらの後側縁は、直線部のみから構成されていてもよい。また、これらの前側縁は、その上端部に後方に突出する突出部を有しなくてもよい。さらに、上記前側縁が突出部を有しない場合、一対の長辺仕切板は突出部が挿入される切欠きを有しなくてもよい。
【００７０】
上記一対の長辺仕切板に形成される第１スリット及び第２スリットの具体的形状は、上記実施形態に記載の形状に限定されるものではない。例えば上記一対の第４スリットと咬合する第１スリット及び第２スリット（左右方向中間部に位置する第１スリット及び第２スリット）は、その上端から下方に向けて左右方向両外側に拡幅していなくてもよい。
【産業上の利用可能性】
【００７１】
以上のように、本考案の組仕切りは、各部の脱落を抑制することができる。
【符号の説明】
【００７２】
１  組仕切り
２  仕切体
１１  第１長辺仕切板
１１ａ〜１１ｃ  第１スリット
１１ｄ  第１折り曲げ容易線
１１ｅ，１２ｅ  切欠き
１２  第２長辺仕切板
１２ａ〜１２ｃ  第２スリット
１２ｄ  第２折り曲げ容易線
１３  第１外側短辺仕切板
１３ａ  第３スリット
１３ｂ，１４ｂ，１５ｂ  前側縁
１３ｃ，１４ｃ，１５ｃ  後側縁
１３ｄ，１４ｄ，１５ｄ  突出部
１３ｅ，１３ｆ，１４ｅ，１４ｆ，１５ｅ，１５ｆ  直線部
１３ｇ，１４ｇ，１５ｇ  傾斜部
１３ｈ  突片
１４  中央短辺仕切板
１４ａ  第４スリット
１５  第２外側短辺仕切板
１５ａ  第５スリット
１６  第１底板
１６ａ  係止孔
１７  第２底板
１７ａ  本体
１７ｂ  係合突起
Ｌ  突出部の突出長さ
Ｗ  切欠きの幅
【図１】
0003221841.tif 000003
【図２】
0003221841.tif 000004
【図３】
0003221841.tif 000005
【図４】
0003221841.tif 000006
【図５】
0003221841.tif 000007